(57)【要約】【課題】底板又は天板へのオプション品の追加設置が低コストで容易にでき、また、本体への機器の取り付け及び機器への結線がしやすく、本体内への配線引き込み作業が容易にできる機器収納ボックスを提供する。【解決手段】機器収納ボックスの本体５は、底板２と天板３と背板４とで成り、背板４の４隅にポスト４ａが垂設され、底板２と天板３は左右両端と前端にコ字状の折曲部２ａ，３ａが形成されている。そして、底板２及び天板３の左右両端の折曲部２ａ，３ａを背板４のポスト４ａに前面から挿入し、螺着して固定される。底板２や天板３にオプション品を追加設置する際は本体５から底板２又は天板３だけを取り外して装着させる。また、本体５にケーブルやコード１０を引き込むには、底板２と天板３の取り付け前に機器に結線し、底板２と天板３の取り付け時に底板２と天板３の背面側端縁に形成された切欠２ｄ，３ｄに嵌めることにより行う。【選択図】　　　　図１
2004039820.tif 000002
【特許請求の範囲】
【請求項１】
底板、天板及び背板を有する本体と、該本体の開放された前面及び左右側面を開閉可能な扉体とから成る機器収納ボックスにおいて、前記本体は前記背板の４隅にポストを垂設し、該ポストに前記底板及び前記天板を着脱自在にしたことを特徴とする機器収納ボックス。
【請求項２】
前記底板及び前記天板の左右両端及び前端をコ字状に折曲して折曲部を形成し、該折曲部を前記ポストに嵌め込み可能にしたことを特徴とする請求項１に記載の機器収納ボックス。
【請求項３】
前記底板又は前記天板の少なくとも一方の背面側端縁に入出線用の切欠を形成したことを特徴とする請求項１又は請求項２に記載の機器収納ボックス。
【発明の詳細な説明】
【０００１】
【発明の属する技術分野】
本発明は、電気機器や通信機器等の各種機器を収納するための機器収納ボックスにケーブル類を入出線するための構造に関する。
【０００２】
【従来の技術】
従来、図５に示すように電気機器や通信機器等の各種機器を収納するために、底板２２、天板２３及び背板２４を有する本体２５と、この本体２５の開放された前面及び左右側面を開閉可能な扉体２６とで成る機器収納ボックス２１は、本体２５が底板２２、天板２３及び背板２４を略コ字状に一体に形成され、扉体２６は前面の半分と側面を被覆するＬ字状の左右対称な２枚で形成され、本体２５の前面中央部に蝶着されていた。本体２５内に設置した機器３１にケーブルやコード３０等を結線するには、底板２２又は天板２３に穿設された入出線孔２３ｄにケーブルやコード３０等を挿通させて本体２５内に引き込み、機器３１に接続していた。
【０００３】
【発明が解決しようとする課題】
このように、上記従来の機器収納ボックスの本体は、底板、天板及び背板を一体に形成しているため、設置後、天板に換気扇等のオプション品を追加設置しようとすると、本体を丸ごと取り替えなければならず、コストがかかっていた。また、本体を取り替えるには、機器を取り外さなければならないし、結線し直さなければならなず、非常に手間がかかるという問題があった。更に、機器の取り付けや結線の際に底板や天板が邪魔になるので作業がしづらいし、また、入出線孔にケーブルやコード等を挿通させる作業に手間がかかるという欠点があった。
【０００４】
そこで上記問題点に鑑み、本発明の目的は、底板又は天板へのオプション品の追加設置が低コストで容易にでき、また、本体への機器の取り付け及び機器への結線がしやすく、本体内への配線引き込み作業が容易にできる機器収納ボックスを提供することである。
【０００５】
【課題を解決するための手段】
上記目的を達成するために、請求項１に記載の発明によれば、底板、天板及び背板を有する本体と、本体の開放された前面及び左右側面を開閉可能な扉体とから成る機器収納ボックスにおいて、本体は背板の４隅にポストを垂設し、ポストに底板及び天板を着脱自在にしたことを特徴とする。
【０００６】
請求項２に記載の発明によれば、請求項１に記載の機器収納ボックスにおいて、底板及び天板の左右両端及び前端をコ字状に折曲して折曲部を形成し、折曲部をポストに嵌め込み可能にしたことを特徴とする。
【０００７】
請求項３に記載の発明によれば、請求項１又は請求項２に記載の機器収納ボックスにおいて、底板又は天板の少なくとも一方の背面側端縁に入出線用の切欠を形成したことを特徴とする。
【０００８】
【発明の実施の形態】
請求項１に記載の発明によれば、底板、天板及び背板を有する本体と、本体の開放された前面及び左右側面を開閉可能な扉体とから成る機器収納ボックスにおいて、本体は背板の４隅にポストを垂設し、ポストに底板及び天板を着脱自在にしたことにより、底板又は天板へのオプション品の追加設置が低コストで容易にでき、また、本体への機器の取り付け及び機器への結線がしやすくなる。
【０００９】
請求項２に記載の発明によれば、請求項１に記載の機器収納ボックスにおいて、底板及び天板の左右両端及び前端をコ字状に折曲して折曲部を形成し、折曲部をポストに嵌め込み可能にしたことにより、底板及び天板を容易にポストに取り付けることができる。
【００１０】
請求項３に記載の発明によれば、請求項１又は請求項２に記載の機器収納ボックスにおいて、底板又は天板の少なくとも一方の背面側端縁に入出線用の切欠を形成したことにより、本体内への配線引き込み作業が容易にできる。
【００１１】
【実施例】
本発明に係る機器収納ボックスの一実施例を図１〜図４の添付図面に基づいて説明する。
【００１２】
機器収納ボックス１は、底板２、天板３及び背板４を有する本体５と、この本体５の開放された前面及び左右側面を開閉可能な扉体６とで成っている。
【００１３】
本体５の背板４は前面側の４隅にポスト４ａが垂設され、ポスト４ａの先端と内側にねじ孔４ｂが穿設されている。底板２と天板３は左右両端と前端にポスト４ａの厚みより僅かに大きくコ字状に折曲した折曲部２ａ，３ａが形成され、底板２と天板３の幅寸法は左右のポスト４ａ間より僅かに大きくなっている。また、折曲部２ａ，３ａにはポスト４ａのねじ孔４ｂと対向する位置にねじ挿通孔２ｂ，３ｂが穿設されている。
【００１４】
そして、底板２及び天板３の左右両端の折曲部２ａ，３ａを背板４のポスト４ａに前面から嵌め込み、折曲部２ａ，３ａのねじ挿通孔２ｂ，３ｂとポスト４ａのねじ孔４ｂを合わせ、ねじ７で螺着して本体５が形成されている。
【００１５】
また、本体５の底板２と天板３の夫々の前面中央部には蝶番２ｃ，３ｃが設けられている。扉体６は前面の半分と側面を被覆するＬ字状の左右対称な２枚で形成され、本体５の蝶番２ｃ，３ｃに蝶着されている。
【００１６】
本体５の背板４の上下には左右方向に平行なレール８が螺着され、レール８上に２本の柱９ａとこれらの間を連結する連結部９ｂから成るコ字状のマウントアングル９が螺着されている。これらのレール８とマウントアングル９は機器のサイズに応じて、レール８は上下方向に取り付け位置を変更することができ、マウントアングル９は左右方向に取り付け位置を変更することができる。マウントアングル９の柱９ａには多数の取付孔９ｃが穿設され、各種機器（図示せず）は柱間に配置されて取付孔９ｃに取り付けられる。機器を取り付ける際は扉体６と本体５の底板２、天板３を取り外すと上下左右及び前面が開放されるので作業が非常にしやすい。
【００１７】
機器へケーブルやコード１０等を結線するには、扉体６、底板２、天板３を取り外した状態で行う。底板２と天板３の背面側端縁には切欠２ｄ，３ｄが形成されており、機器への結線後は、この切欠２ｄ，３ｄにケーブルやコード１０を嵌まるようにして底板２と天板３をポスト４ａに挿入して背板４に取り付ける。それから、扉体６を取り付ける。
【００１８】
機器収納ボックス１は本体５の背板４を壁面に螺着して設置されるが、設置後に本体５の天板３に換気扇１１等を取り付けたい場合は、扉体６を取り外した後、本体５から天板３だけを取り外して替えることができるのでコストを低くすることができ、作業が簡単にできる。
【００１９】
尚、本実施例においてケーブルを引き込むための切欠を底板と天板に設けたが、ケーブルの引き込む方向に応じて切欠を底板と天板のどちらか一方に設けても良い。また、底板と天板の両方に切欠を設けずに背板に入出線孔を穿設してケーブルを引き込むこともでき、本発明の趣旨を逸脱しない範囲で適宜変更可能である。
【００２０】
また、本実施例において扉体は前面の半分と側面を被覆するＬ字状の左右対称な２枚で形成したが、本体の開放された前面及び左右側面を閉塞できれば良く、形状及び取り付け構造について限定はない。
【００２１】
【発明の効果】
以上説明したように、請求項１に記載の発明によれば、底板、天板及び背板を有する本体と、本体の開放された前面及び左右側面を開閉可能な扉体とから成る機器収納ボックスにおいて、本体は背板の４隅にポストを垂設し、ポストに底板及び天板を着脱自在にしたことにより、底板又は天板に換気扇等のオプション品を追加設置する際に、底板又は天板だけを取り替えることができるので、従来に比べてコストを低くすることができ、機器や結線を取り外さずに作業ができるので手間がかからず、また、機器の取り付け及び結線の際に天面及び底面が開放されるので作業がしやすく、ポストに底板及び天板を取り付けることで支持するための充分な強度が確保できるという優れた効果がある。
【００２２】
請求項２に記載の発明によれば、請求項１に記載の機器収納ボックスにおいて、底板及び天板の左右両端及び前端をコ字状に折曲して折曲部を形成し、折曲部をポストに嵌め込み可能にしたことにより、底板及び天板をポストに仮止めすることができるのでねじで締め付け固定する際に両手を自由に使うことができ、容易に取り付け作業ができるという優れた効果がある。
【００２３】
請求項３に記載の発明によれば、請求項１又は請求項２に記載の機器収納ボックスにおいて、底板又は天板の少なくとも一方の背面側端縁に入出線用の切欠を形成したことにより、ケーブルやコードを入出線孔に挿通させなくて済むので本体内への配線引き込み作業や結線の改修作業等が容易にできるという優れた効果がある。
【図面の簡単な説明】
【図１】本発明に係る機器収納ボックスの本体の分解斜視図である。
【図２】扉体を取り外した状態の機器収納ボックスを示す斜視図である。
【図３】機器収納ボックスを示す斜視図である。
【図４】本体の天板に換気扇を取り付けた機器収納ボックスの斜視図である。
【図５】従来の機器収納ボックスを示す斜視図である。
【符号の説明】
１…機器収納ボックス
２…底板
３…天板
４…背板
４ａ…ポスト
５…本体
６…扉体
１０…ケーブル、コード
【図１】
2004039820.tif 000003
【図２】
2004039820.tif 000004
【図３】
2004039820.tif 000005
【図４】
2004039820.tif 000006
【図５】
2004039820.tif 000007